(57)【要約】【課題】動作モードを切り替える際の操作性を向上させる。【解決手段】デジタルカメラ２に、レンズ部１１のカメラ本体１０に対する回転角を検出する回転角検出センサ４５を設ける。ＣＰＵ３０は、回転角検出センサ４５からの検出信号に基づいて、通常撮影モード、再生モード、セルフ撮影モード、マクロ・文字撮影モードの切替を行うとともに、切り替えたモードに対応した処理を施す。レンズ部１１が撮像レンズ１５がカメラ本体１０の正面に向いた基準位置にある場合は通常撮影モード、レンズ部１１が基準位置から上方に９０°回転された位置にある場合は再生モード、レンズ部１１が基準位置から１８０°回転された位置にある場合はセルフ撮影モード、レンズ部１１が基準位置から下方に９０°回転された位置にある場合はマクロ・文字撮影モードとしてそれぞれ作動する。【選択図】        図３
2004194102.tif 000002
【特許請求の範囲】
【請求項１】
被写体画像を撮影するための撮像レンズと撮像素子とからなるレンズ部がカメラ本体に対して回転自在で、異なる動作を実行する少なくとも２つの動作モードを有するデジタルカメラにおいて、
前記レンズ部のカメラ本体に対する回転角を検出する回転角検出手段と、この回転角検出手段からの検出信号に基づいて前記動作モードの切替を行うとともに、切り替えた動作モードに対応した処理を施す制御手段とを備えたことを特徴とするデジタルカメラ。
【請求項２】
前記動作モードは、前記撮像レンズがカメラ本体正面に向いた基準位置にレンズ部が回転された位置にある場合に作動し、通常の被写体撮影を行う通常撮影モードと、
レンズ部が前記基準位置から上方に９０°回転された位置にある場合に作動し、カメラ本体に設けられた画像表示手段で撮影した画像の再生を行う再生モードと、
レンズ部が前記基準位置から１８０°回転された位置にある場合に作動し、撮影者が自分自身を撮影するセルフ撮影モードと、
レンズ部が前記基準位置から下方に９０°回転された位置にある場合に作動し、近景撮影を行うマクロ・文字撮影モードとの少なくともいずれか２つであることを特徴とする請求項１に記載のデジタルカメラ。
【請求項３】
前記制御手段は、前記再生モードの作動時に、再生モードの作動位置と基準位置との間、または再生モードの作動位置とセルフ撮影モードの作動位置との間の少なくともいずれかに前記レンズ部が回転された際、この回転角に応じて再生する画像の表示を変化させることを特徴とする請求項１または２に記載のデジタルカメラ。
【請求項４】
前記セルフ撮影モードおよびマクロ・文字撮影モードへの切替をするか否かを設定する設定手段を設けたことを特徴とする請求項１乃至３に記載のデジタルカメラ。
【発明の詳細な説明】
【０００１】
【発明の属する技術分野】
本発明は、撮像レンズと撮像素子とからなるレンズ部がカメラ本体に対して回転自在で、異なる動作を実行する少なくとも２つの動作モードを有するデジタルカメラに関する。
【０００２】
【従来の技術】
ＣＣＤイメージセンサなどの撮像素子で撮像した被写体画像をデジタルの画像データに変換し、内蔵メモリやメモリカードなどの記憶媒体に保存するデジタルカメラが普及している。デジタルカメラには、撮像レンズと撮像素子とからなるレンズ部がカメラ本体に対して回転する、いわゆるレンズ部回転型デジタルカメラがある。
【０００３】
レンズ部回転型デジタルカメラには、撮影者が自分自身を撮影するセルフ撮影を行う際に、カメラ本体背面に設けられた液晶表示器を確認しながら撮影することができるという利点がある。この利点を活用するために、レンズ部の回転を検知する回転検知手段を設け、この回転検知手段で撮像レンズが撮影者自身に向けられたと検知した場合に、自動的に人物撮影に必要な補正処理を施して、人物を明るく健康的なイメージで撮影するレンズ部回転型デジタルカメラが提案されている（特許文献１参照）。
【０００４】
【特許文献１】
特開２０００−２３０２０号公報
【０００５】
【発明が解決しようとする課題】
ところで、デジタルカメラには、被写体撮影を行う撮影モードや撮影した画像を液晶表示器で再生する再生モードがあり、撮影モードの中には通常撮影モード、近景を撮影するマクロモードや文字撮影モード、遠景、夜景を撮影するモードなど様々な動作モードがあるが、特許文献１に記載されるデジタルカメラでは、レンズ部回転機構は被写体を撮影するアングルを変更する手段に過ぎず、動作モードを切り替える手段としては機能していない。
【０００６】
本発明は、動作モードを切り替える際の操作性を向上させることができるデジタルカメラを提供することを目的とする。
【０００７】
【課題を解決するための手段】
上記目的を達成するために、本発明は、被写体画像を撮影するための撮像レンズと撮像素子とからなるレンズ部がカメラ本体に対して回転自在で、異なる動作を実行する少なくとも２つの動作モードを有するデジタルカメラにおいて、前記レンズ部のカメラ本体に対する回転角を検出する回転角検出手段と、この回転角検出手段からの検出信号に基づいて前記動作モードの切替を行うとともに、切り替えた動作モードに対応した処理を施す制御手段とを備えたことを特徴とする。
【０００８】
なお、前記動作モードは、少なくとも前記撮像レンズがカメラ本体正面に向いた基準位置にレンズ部が回転された位置にある場合に作動し、通常の被写体撮影を行う通常撮影モードと、レンズ部が前記基準位置から上方に９０°回転された位置にある場合に作動し、カメラ本体に設けられた画像表示手段で撮影した画像の再生を行う再生モードと、レンズ部が前記基準位置から１８０°回転された位置にある場合に作動し、撮影者が自分自身を撮影するセルフ撮影モードと、レンズ部が前記基準位置から下方に９０°回転された位置にある場合に作動し、近景撮影を行うマクロ・文字撮影モードとの少なくともいずれか２つであることが好ましい。
【０００９】
また、前記制御手段は、前記再生モードの作動時に、再生モードの作動位置と基準位置との間、または再生モードの作動位置とセルフ撮影モードの作動位置との間の少なくともいずれかに前記レンズ部が回転された際、この回転角に応じて再生する画像の表示を変化させることが好ましい。
【００１０】
さらに、前記セルフ撮影モードおよびマクロ・文字撮影モードへの切替をするか否かを設定する設定手段を設けることが好ましい。
【００１１】
【発明の実施の形態】
図１および図２において、デジタルカメラ２は、カメラ本体１０とレンズ部１１とから構成される。このカメラ本体１０とレンズ部１１とは、連結部１２を介して連結されている。連結部１２は回転機構（図示せず）を有しており、レンズ部１１はカメラ本体１０に対して３６０°回転可能となっている。また、この連結部１２には、レンズ部１１が図示する基準位置から９０°回転する毎に回転がロックされるクリック機構（図示せず）が設けられている。
【００１２】
カメラ本体１０には、光学ファインダを構成するファインダ対物窓１３とファインダ接眼窓１４とが設けられており、これらを通して被写体画像のフレーミングが行われる。
【００１３】
レンズ部１１は、撮像レンズ１５と、その背後に配置されたＣＣＤ３１（図３参照）とからなる。撮像レンズ１５で結像された被写体画像は、ＣＣＤ３１にアナログの撮像信号として取り込まれる。ＣＣＤ３１からの撮像信号は、Ａ／Ｄ変換器３４（図３参照）により、デジタルの画像データに変換される。この画像データは、カメラ本体１０の背面に設けられた液晶表示器（ＬＣＤ）１６で、いわゆるスルー画像として表示される。
【００１４】
カメラ本体１０の上面には、レリーズボタン１７が設けられている。このレリーズボタン１７は、２段階押しのスイッチとなっており、ＬＣＤ１６または光学ファインダによるフレーミングの後にレリーズボタン１７を軽く押圧すると、露光調整、撮像レンズ１５の焦点調整などの各種撮影準備処理が施される。撮影準備処理が施された撮像信号は、レリーズボタン１７を離すまでデータロックされる。そして、この状態でレリーズボタン１７をもう１度強く押圧すると、撮影準備処理が施された１画面分の撮像信号が画像データに変換された後、図示しないメモリカードスロットに着脱自在に装填されるメモリカード４０や内蔵メモリ３８（ともに図３参照）などの記憶媒体に保存される。
【００１５】
図２に示すように、カメラ本体１０の背面には、ＬＣＤ１６のほかに、電源のオン／オフ切替えを行う電源ボタン１８、撮像レンズ１５のズームレンズをワイド側、テレ側に変倍するズーム操作ボタン１９、およびＬＣＤ１６に表示されるメニュー画面内でカーソルを移動させるカーソル操作板２０などからなる操作部２１が設けられている。この操作部２１は、後述するセルフ撮影モードおよびマクロ・文字撮影モードへの切替をするか否かを設定することが可能となっている。
【００１６】
デジタルカメラ２の電気的構成を示す図３において、撮像レンズ１５には、図示しないズームモータと、アイリスモータと、フォーカスモータとが接続されている。これらのモータは、ＣＰＵ３０に接続されたモータドライバを介して駆動制御され、レリーズボタン１７の１回目の押圧操作により撮影準備処理を行う。ズームモータは、ズームレンズをワイド側、あるいはテレ側に動作させ、撮像レンズ１５のズーミングを行う。また、アイリスモータおよびフォーカスモータは、図示しないアイリスおよびフォーカスレンズを動作させ、撮影条件が最適となるように撮像レンズ１５の露光調整、焦点調整を行う。
【００１７】
ＣＣＤ３１から出力された撮像信号は、相関二重サンプリング回路（ＣＤＳ）３２に入力され、ＣＣＤ３１の各セルの蓄積電荷量に正確に対応したＲ、Ｇ、Ｂの画像データとして出力される。ＣＤＳ３２から出力された画像データは、増幅器（ＡＭＰ）３３で増幅され、Ａ／Ｄ変換器３４でデジタルデータに変換される。
【００１８】
画像入力コントローラ３５は、データバス３６を介してＣＰＵ３０に接続され、ＣＰＵ３０の制御命令に応じてＣＣＤ３１、ＣＤＳ３２、ＡＭＰ３３、およびＡ／Ｄ変換器３４を制御する。Ａ／Ｄ変換器３４から出力された画像データは、ＬＣＤドライバ３７を介してＬＣＤ１６に表示される。または、図示しない光学ファインダドライバを介して光学ファインダに表示される。あるいは、内蔵メモリ３８に保存される。内蔵メモリ３８に保存された画像データは、メディアコントローラ３９を介してメモリカード４０に記録される。
【００１９】
画像信号処理回路４１は、階調変換、色変換、ハイパートーン処理、ハイパーシャープネス処理などの各種画像処理を画像データに施す。圧縮処理回路４２は、デジタルカメラ２をパーソナルコンピュータなどの外部機器に接続して、撮像された画像データを転送する際に、画像データを所定のファイル形式（例えばＪＰＥＧ形式）に圧縮する。
【００２０】
データバス３６には、撮像レンズ１５の焦点調整が撮影に適切か否かを検出するＡＦ検出回路４３と、撮像レンズ１５の露光調整およびホワイトバランス補正が撮影に適切か否かを検出するＡＥ／ＡＷＢ検出回路４４が接続されている。これらの検出回路４３、４４は、レリーズボタン１７の１回目の押圧操作で撮影準備処理が行われた後、データバス３６を介してＣＰＵ３０に検出結果を送信する。
【００２１】
デジタルカメラ２では、被写体撮影を行う撮影モード（動画および静止画）、撮影した画像をＬＣＤ１６に表示する再生モード、および各種設定を行うセットアップモードなどが選択可能となっている。また、撮影モードには、通常の撮影を行う通常撮影モード、撮影者が自分自身を撮影するセルフ撮影モード、および近景撮影を行うマクロ・文字撮影モードなどがある。
【００２２】
回転角検出センサ４５は、カメラ本体１０に対するレンズ部１１の回転角θを検出し、データバス３６を介してＣＰＵ３０に検出信号を送信する。ＣＰＵ３０は、回転角検出センサ４５からの検出信号に基づいて、通常撮影モード、再生モード、セルフ撮影モード、マクロ・文字撮影モードの切替を行うとともに、切り替えたモードに対応した処理を施す。
【００２３】
すなわち、レンズ部１１が図１および図２に示す基準位置（撮像レンズ１５がカメラ本体１０の正面に向いた位置、回転角θ＝０°とする。）にある場合は通常撮影モード、レンズ部１１が基準位置から上方に９０°（θ＝９０°）回転された図４に示す位置にある場合は再生モード、レンズ部１１が基準位置から１８０°（θ＝１８０°）回転された図５に示す位置（撮像レンズ１５がカメラ本体１０の背面に向いた位置）にある場合はセルフ撮影モード、レンズ部１１が基準位置から下方に９０°（θ＝２７０°）回転された図６に示す位置にある場合はマクロ・文字撮影モードとしてそれぞれ作動する。
【００２４】
図７および図８に示すように、再生モードの作動時に、レンズ部１１が（Ａ）のθ＝６０°の位置に回転された場合、再生する画像の早送り（動画再生時）、またはコマ送り（静止画再生時）は標準の表示速度で行われる。また、（Ｂ）に示すθ＝４５°の位置に回転された場合、再生する画像の早送り、またはコマ送りは標準の表示速度よりも速い速度で行われる。
【００２５】
一方、レンズ部１１が図８（Ｃ）のθ＝１２０°の位置に回転された場合、再生する画像の巻き戻し（動画再生時）、またはコマ戻し（静止画再生時）は標準の表示速度で行われ、（Ｄ）に示すθ＝１３５°の位置に回転された場合、再生する画像の巻き戻し、またはコマ戻しは標準の表示速度よりも速い速度で行われる。これらの表示動作を停止させる場合には、レンズ部１１を再びθ＝９０°の位置に戻す。
【００２６】
なお、上記段落に挙げたθ（４５°、６０°、１２０°、１３５°）は一例であって、本発明を特に限定するものではない。また、表示動作、表示速度と角度との関係も特に限定されず、表示速度を低速、標準、高速など２段階以上に分けてもよいし、段階を分けずに直線的に変化させてもよい。換言すれば、再生モードの作動位置と基準位置との間（０°＜θ＜９０°）、または再生モードの作動位置とセルフ撮影モードの作動位置との間（９０°＜θ＜１８０°）の少なくともいずれかにレンズ部１１が回転された際に、これに応じて再生する画像の表示を変化させればよい。
【００２７】
上記のような構成であると、モードや再生画像の表示の切替を行うボタンやスイッチなどを別個に設ける必要がなく、モードや再生画像の表示の切替の操作ステップを短縮させることができる。また、モード切り替え後のレンズ部１１が、それぞれの動作モードで操作を行う際に好適な位置にあるので、切り替え後直ちに操作を開始することができる。
【００２８】
なお、セルフ撮影モードに切り替えた場合は、セルフタイマー機能が自動的に作動する。また、レンズ部１１の回転により切り替わる動作モードとしては、上記実施形態で挙げたものに限らず、適宜変更することが可能である。
【００２９】
【発明の効果】
以上のように、本発明のデジタルカメラによれば、レンズ部のカメラ本体に対する回転角を検出する回転角検出手段と、この回転角検出手段からの検出信号に基づいて動作モードの切替を行うとともに、切り替えた動作モードに対応した処理を施す制御手段とを備えたので、動作モードを切り替える際の操作性を向上させることができる。
【図面の簡単な説明】
【図１】本発明を実施したデジタルカメラの正面概観斜視図である。
【図２】図１に示したデジタルカメラの背面概観斜視図である。
【図３】デジタルカメラの電気的構成を示す図である。
【図４】レンズ部が基準位置から上方に９０°回転された位置にあり、再生モードが作動した状態を示す図である。
【図５】レンズ部が基準位置から１８０°回転された位置にあり、セルフ撮影モードが作動した状態を示す図である。
【図６】レンズ部が基準位置から下方に９０°回転された位置にあり、マクロ・文字撮影モードが作動した状態を示す図である。
【図７】再生モード作動時に再生する画像の早送り、またはコマ送りを行う際のレンズ部の位置を示す図であり、（Ａ）は表示速度が標準の場合、（Ｂ）は表示速度が高速の場合をそれぞれ示す。
【図８】再生モード作動時に再生する画像の巻き戻し、またはコマ戻しを行う際のレンズ部の位置を示す図であり、（Ｃ）は表示速度が標準の場合、（Ｄ）は表示速度が高速の場合をそれぞれ示す。
【符号の説明】
２  デジタルカメラ
１０  カメラ本体
１１  レンズ部
１２  連結部
１５  撮像レンズ
１６  液晶表示器（ＬＣＤ）
１７  レリーズボタン
２１  操作部
３０  ＣＰＵ
３１  ＣＣＤ
３８  内蔵メモリ
４０  メモリカード
４５  回転角検出センサ
【図１】
2004194102.tif 000003
【図２】
2004194102.tif 000004
【図３】
2004194102.tif 000005
【図４】
2004194102.tif 000006
【図５】
2004194102.tif 000007
【図６】
2004194102.tif 000008
【図７】
2004194102.tif 000009
【図８】
2004194102.tif 000010